(57)【特許請求の範囲】
【請求項１】
自動車（１）を出発位置（Ｓ）から目標位置（Ｅ）に前記自動車（１）内で決定した設定進路に沿って移動させる方法であって、
前記設定進路に沿った前記自動車（１）の走行が、前記自動車（１）又はモバイル端末（５）によって開始され、及び
前記出発位置（Ｓ）は、モバイル端末（５）又は前記自動車（１）によって決定され、前記目標位置（Ｅ）は、前記モバイル端末（５）によって決定される、
方法において、
前記設定進路は、前記出発位置（Ｓ）から前記目標位置（Ｅ）に運ばれる前記モバイル端末（５）で記録される進行中のデータを利用した走行操作計画に基づいて決定されること、及び
前記目標位置における前記自動車（１）の向きは、グローバル座標系（ＫＳ）における前記モバイル端末（５）の向きによって決定されることを特徴とする、方法。
【請求項２】
請求項１に記載の方法であって、
前記自動車（１）の前記出発又は目標位置（Ｓ、Ｅ）の決定は、運転者によって又は運転者に係る事象によって起動され、前記出発又は目標位置（Ｓ、Ｅ）は、グローバル座標系（ＫＳ）における前記モバイル端末（５）の向きによって決定されることを特徴とする、方法。
【請求項３】
請求項１又は２に記載の方法であって、
前記グローバル座標系（ＫＳ）における前記モバイル端末（５）の向きは、前記自動車（１）に送信される前記モバイル端末（５）によって検知されたセンサデータを用いて決定されることを特徴とする、方法。
【請求項４】
請求項１〜３の少なくとも一項に記載の方法であって、
前記自動車（１）の走行操作が実行されているとき、前記モバイル端末（５）によって前記自動車（１）の経路が補正され得ることを特徴とする、方法。
【請求項５】
自動車（１）を出発位置（Ｓ）から目標位置（Ｅ）に移動させる装置であって、前記自動車（１）のステアリング装置（２９）及びエンジン制御システム（３３）又はブレーキ装置（３１）と接続される制御装置（３）を含み、モバイル端末（５）が、無線通信装置（７、９）を介して、前記自動車（１）の前記出発位置（Ｓ）又は前記目標位置（Ｅ）を決定する前記制御装置（３）と接続され、前記制御装置（３）は、前記モバイル端末（５）によって作成された走行操作計画に基づいて設定進路を決定し、前記ステアリング装置（２９）及び前記エンジン制御（３３）又は前記ブレーキ装置（３１）を制御することによって前記設定進路を出発する装置において、
前記設定進路は、前記出発位置（Ｓ）から前記目標位置（Ｅ）に運ばれる前記モバイル端末（５）で記録される進行中のデータを利用した走行操作計画に基づいて決定されること、及び
前記目標位置における前記自動車（１）の向きは、グローバル座標系における前記モバイル端末（５）の向きによって決定されることを特徴とする、装置。
【請求項６】
請求項５に記載の装置であって、
前記制御装置（３）は、前記モバイル端末（５）によって作成された走行操作計画に基づいて設定進路を決定する進路計画ユニット（２５）、および前記進路計画ユニット（２５）と接続される、前記ステアリング装置（２９）及び前記エンジン制御（３３）又は前記ブレーキ装置（３１）に制御命令を出力する進路制御ユニット（２７）を含むことを特徴とする、装置。
【請求項７】
自動車の走行操作を計画する装置であって、
−計算ユニット（１３）と、
−前記自動車（１）の出発位置（Ｓ）又は目標位置（Ｅ）又は可能な走行進路を決定するために前記計算ユニット（１３）と接続される少なくとも１つの位置検知センサ（１７、１９）と、
−前記出発位置（Ｓ）、前記目標位置（Ｅ）、又は計画された走行操作を前記自動車（１）に送信する、前記計算ユニット（１３）と接続された送信／受信ユニット（９）とを含む装置において、
−前記計算ユニット（１３）は、位置算出ユニット（１５）を含み、それに前記少なくとも１つの位置検知センサ（１７、１９）が接続され、それはグローバル座標系（ＫＳ）における前記装置の向きを決定し、
−前記計算ユニット（１３）は、位置決定ユニット（２１）を含み、それは前記位置算出ユニット（１５）と接続され、前記自動車（１）の経路を決定し、
−前記計算ユニット（１３）は、走行操作計画ユニット（２３）を含み、それは前記位置算出ユニット（１５）及び前記位置決定ユニット（２１）と接続され、前記出発位置（Ｓ）から前記目標位置（Ｅ）に運ばれる前記装置で記録される進行中のデータを利用した前記走行操作を計画することを特徴とする、装置。
【請求項８】
請求項７に記載の装置であって、
前記位置算出ユニット（１５）は、ヨー角を算出するために、３つの空間方向すべてを含むセンサデータを出力するジャイロスコープ（１）又は磁気センサ（１９）又は加速度センサと接続されることを特徴とする、装置。
【請求項９】
請求項７又は８に記載の装置であって、
前記位置決定ユニット（２１）は、無線追尾システム（１１）と接続されることを特徴とする、装置。
【発明の詳細な説明】
【技術分野】
【０００１】
本発明は、自動車の出発位置から開始して自動車を目標位置に移動させる方法及び装置に関する。
【背景技術】
【０００２】
実際の（半）自動駐車システムは、アプローチすべき駐車スペースをこのシステムが少なくとも部分的にオンボードセンサを用いて計測できる場合にのみ機能する。その際、自動車は、その位置を自動車固有のセンサを用いて学習した周辺において決定でき、既に走行した進路を再度走行するという状態に置かれる。しかし、自動車によって検知できない目標位置には、アプローチすることができない。
【０００３】
特許文献１から、自動車を目標位置に移動させる方法及び装置が公知であり、この方法及び装置では、自動車は、目指す目標位置に近い出発位置に移動され、運転者側での第１の起動後、自動車の周辺は、目標位置を検知するために連続してスキャンされ、実際の自動車の位置は、連続して決定され、決定された周辺情報及び位置情報に基づいて、自動車を目標位置に移動させるための制御情報が決定される。運転者側での第２の起動に応じて、制御情報に依存する制御命令は、自動車のパワートレイン及び／又はブレーキ装置及び／又はステアリングに出力され、これにより、自動車は、運転者によらずに目標位置に走行する。
【０００４】
特許文献２は、自動車の運転、特に道路から離れた自動車から見えない駐車区域の駐車場へのアプローチの方法及び装置を開示しており、この方法では、自動車の周辺データが検知される。オンボードセンサを使用せずに、繰り返し目標として向かうべき駐車場に測定なしでアプローチし、いつも使用している見えない駐車区域の駐車場に、以前検知して保存した周辺データ又は走行データに基づいて駐車する。このシステムは、繰り返し駐車を基準としてある範囲及び同一の範囲で自己学習し、アプローチ時に、決定された走行データ又は検知された周辺データなど、ステアリングヨー角、自動車速度、ＧＰＳデータ、及び走行軌道などのこの駐車区域に適合する情報は、保存され、既に保存された走行データ又は周辺データは、更新され、その結果、この操縦は、再学習することができる。
【先行技術文献】
【特許文献】
【０００５】
【特許文献１】ＥＰ  １  ２４９  ３７９  Ｂ１
【特許文献２】ＤＥ  １０  ２０１３  ０１５  ３４９  Ａ１
【発明の概要】
【発明が解決しようとする課題】
【０００６】
本発明の課題は、自律駐車システムの利用可能性を改良するための方法及び装置を提供することである。
【課題を解決するための手段】
【０００７】
本発明は、独立請求項の特徴から明らかとなる。有利な発展形態及び実施形態は、従属請求項の主題である。本発明の更なる特徴、利用可能性、及び利点は、以下の説明から、かつ図に示された本発明の実施例の説明から明らかとなる。
【０００８】
本課題は、以下による方法を用いて解決され、その方法は、
−出発位置は、モバイル端末又は自動車によって決定されること、
−目標位置は、モバイル端末によって決定されること、
−自動車の走行軌道は、自動車内で計画されること、
−自動車の走行軌道に沿った自動車の走行は、自動車又はモバイル端末によって開始されること、である。
【０００９】
これは、運転者のモバイル端末の使用に基づいて自動車によって実行される走行操縦を前もって点検でき、目標位置における自動車の向きを確定できるという利点を有する。本発明の更なる利点は、走行操縦の計画のために追加の自動車センサが必要ではないということである。走行操縦の計画は、運転者にとって非常に容易に実行できる。続いて、運転者は、モバイル端末によって記録された走行操縦を遠隔操作によって発進させることができる。その際、自動車は、運転者の補助なしで自律的に走行する。
【００１０】
出発位置はまた、モバイル端末上の操作装置を用いて出発位置を決定する運転者によって決定されることもできる。同様に、出発位置はまた、「運転者が降車のために運転席ドアを開ける」又は「運転者がギアチェンジレバーをＰに入れる」という事象によっても決定することができる。運転者による又はある事象による起動時に、その場合、自動車又はモバイル端末は、自動車の実際の位置を決定し、この位置を駐車過程の開始位置として設定する。これには、運転者が多大な労力をかけずに出発位置を決定できるという利点がある。出発位置の決定は、柔軟かつ容易に実現できる。
【００１１】
有利には、自動車の出発又は目標位置は、グローバル座標系におけるモバイル端末の向きによって決定される。グローバル座標系を使用することによって、目標位置だけではなく出発位置も自動車に容易に送信でき、自動車で更に処理される。
【００１２】
一実施形態では、グローバル座標系におけるモバイル端末の向きは、モバイル端末によって取得され、自動車に送信されるセンサデータを用いて行われる。モバイル端末のこの向きによって、自動車の目標位置は、容易に設定でき、その結果、目標位置は、走行操作の計画のために容易に利用することができる。
【００１３】
変形形態では、モバイル端末は、出発位置から目標位置に運ばれるものであり、モバイル端末は、進行中のデータを取得し、それを走行操作の計画に利用する。この進行中のデータに基づいて、自動車の走行操作用の基盤とみなすことができる走行進路は、特徴付けられる。
【００１４】
一実施形態では、モバイル端末を介して自動車の走行操作中、自動車の経路補正が行われる。これにより、自律走行する自動車の走行操作の常時監視は、運転者によって確保され、運転者は、起こり得る衝突時に走行操作に介入できる。
【００１５】
本発明の発展形態は、自動車を目標位置に移動させるための装置に関し、この装置は、自動車のステアリング装置及びエンジン制御システム及び／又はブレーキ装置に接続された制御装置を含む。センサによって検知できない目標位置に自動車がアプローチできるようにする装置では、
−モバイル端末が、無線通信装置を介して、自動車の出発位置又は目標位置を決定する制御装置と接続され、
−制御装置は、モバイル端末によって作成された走行操作計画に基づいて設定進路を決定し、ステアリング装置及びエンジン制御システム又はブレーキ装置を制御することによって、この設定進路を実行する。
【００１６】
モバイル端末によって提案された走行操作に基づいて、装置は、観察できない目標位置で駐車又は占有するために自動車が進むこととなる実際の走行進路を、自動車固有のセンサデータの評価を必要とすることなく計算することもできる。
【００１７】
有利には、制御装置は、自動車の出発位置を決定する制御装置の位置決定装置と接続される進路制御装置を含む。モバイル端末によらずに自動車の出発位置を独立に決定することによって、制御装置によって出力された設定進路の精度は、改良される。
【００１８】
本発明の更に別の発展形態は、計算ユニットを含む、自動車の走行操作計画のための装置に関する。自動車固有のセンサによって検知できない目標位置の制御のために適したそのような装置では、
−計算ユニットは、自動車の出発位置、又は目標位置、又は可能な走行進路を決定するための少なくとも１つの位置検知センサと接続され、
−この少なくとも１つの位置検知センサは、グローバル座標系における装置の位置を決定する計算ユニットの位置算出ユニットで管理され、
−位置算出ユニット及び位置決定ユニットは、走行操作を計画する走行操作計画ユニットと接続され、
−計算ユニットは、出発位置又は目標位置又は計画された走行操作を自動車に送信する、送信／受信ユニット接続される。
【００１９】
そのようなモバイル装置を用いて、自動車によらずに、自動車の可能な走行進路を決定できる。その場合、自動車の制御装置に無線で転送することができ、自動車は、提案された走行操作を固有の位置データを用いて比較でき、それ基づいて自動車の設定走行進路を決定し、実行する。
【００２０】
有利には、位置算出ユニットは、ヨー角を算出するために、３つの空間方向すべてを含むセンサデータを出力するジャイロスコープ、又は磁気センサ、又は加速度センサと接続される。モバイル装置内に含まれるそのような位置センサを用いて、モバイル装置の三次元位置決めは、自動車の出発位置においてだけではなく自動車の可能な目標位置においてもまた、非常に正確に提示することができる。特にグローバル座標系におけるモバイル装置の向きによって、目標位置は、三次元的に明確に決定できる。
【００２１】
変形形態では、位置決定ユニットは、無線追尾システムと接続される。その際、そのような無線追尾システムとは、モバイル通信ネットワーク若しくはＷＬＡＮネットワーク、又は、例えば、ＧＰＳなどの衛星支援システムであると理解されたい。これらは、特に、モバイル装置において追加のセンサを使用しないこととなっている場合に、有利である。別法として、追尾システムのデータは、モバイル装置のセンサによって決定されたデータの比較のためにも使用することができる。
【００２２】
更なる利点、特徴、及び詳細は、以下の説明から、場合により図面を参照して、少なくとも１つの実施例において個々に説明される。記載された又は図示された特徴は、それ自体で又は好ましい有意義な組み合わせで、場合により、特許請求の範囲から独立してもまた、本発明の主題を形成し、特にそれに加えて、１つ又は複数の個別の出願の主題にもなり得る。同一の、類似のかつ／又は機能的に同一の部分には同じ参照符号が付されている。
【図面の簡単な説明】
【００２３】
【図１】本発明による走行支援システムを有する自動車に関する実施例である。
【図２】本発明によるモバイル端末に関する実施例である。
【図３】自動車を目標位置に自律的に移動させるための本発明による装置に関する実施例である。
【図４】トレーラを有する自動車の走行操作計画に関する実施例である。
【図５】トレーラがない自動車の走行操作計画に関する例である。
【発明を実施するための形態】
【００２４】
図１に、走行支援システムを有する自動車１を示してあり、このシステムを用いて、自動車１は、出発位置Ｓから、自動車１から見えない目標位置Ｅに移動することができる。走行支援システムは、モバイル端末５及び自動車１の制御装置３を含む。制御装置３は、送信／受信ユニット７を介してモバイル端末５及び衛星追尾システム１１と無線で通信する。とりわけ、制御装置５は、回転数センサ３５、ジャイロスコープ３７、磁気センサ３９、及び少なくとも１つの周辺センサ４１、例えば、超音波センサ、レーダセンサ、又はカメラなどの自動車固有のセンサの信号を受信する。同時に、制御装置３は、自動車１のステアリング装置又はブレーキ装置３１又はエンジン制御システム３３に制御命令を与える。モバイル端末５は、同様にその送信／受信ユニット９を介して衛星追尾サービス１１と無線で通信する。
【００２５】
図２に、スマートフォンとして形成され、計算ユニット１３を含む本発明によるモバイル端末５の実施例を示す。計算ユニット１３は、位置算出ユニット１５を有し、この位置算出ユニットに、グローバル座標系ＫＳにおけるモバイル端末５の向きを決定するためにモバイル端末５のジャイロスコープ１７及び磁気センサ１９が接続される。３つの空間方向全てで作動するジャイロスコープ１７及び同様に３つの空間方向すべてを考慮し、かつ地磁気におけるコンパスと同等の方位を示す磁気センサ１９の他に、モバイル端末５の加速度を同様に３つの空間方向すべてで測定する加速度センサもまた、モバイル端末５内に配置することができる。
【００２６】
位置算出ユニット１５でそのように算出されたヨー角は、その位置を補足的にＧＰＳ位置データ又はモバイル通信若しくはＷＬＡＮなどの追尾サービス１１からの信号と比較する位置決定ユニット２１に送られる。モバイル通信ネットワークにおける又は使用可能なＷＬＡＮネットワークに対する位置決定はまた、位置算出について別法としてヨー角を介しても行うことができる。ＧＰＳを用いる衛星支援位置決定もまた、一般的である。
【００２７】
位置算出ユニット１５によって決定されたヨー角および位置決定ユニット２１によって決定された経路が、グローバル座標系ＫＳにおいて走行操作計画ユニット２３に出力される。この走行操作計画ユニット２３では更に、運転者によって指定された出発位置Ｓ及び目標位置Ｅが入力され、これらの位置から、モバイル端末５は、出発位置Ｓから目標位置Ｅへの自動車１の走行操作に関する計画を決定し、その計画は、送信／受信ユニット９を介して自動車１の制御装置３に出力される。
【００２８】
その際、計画された走行操作は、走行操作に対して計画された進路がまた実行可能であることをモバイル端末５が確認した場合にのみ、モバイル端末５から制御装置３に出力される。
【００２９】
図３に示したように、制御装置３の送信／受信ユニット７は、計画された走行操作をモバイル端末５から受信する。制御装置３は、自動車固有のセンサ３５、３７、３９によって出力された、車輪回転数、ヨー速度、及び磁場などのパラメータを処理する進路計画ユニット２５を含む。任意選択的に、超音波センサ、レーダセンサ、レーザセンサ、又はカメラなどの自動車１の周辺センサ４１によってデータをまた、検知することができ、そして制御装置３の進路計画ユニット２５に送信することができる。進路計画ユニット２５では、出発位置Ｓから目標位置Ｅへ移動されることとなる自動車１の設定進路が算出される。自動車１のこの設定進路は、進路制御ユニット２７に出力され、このユニットは、同様に自動車固有のセンサ３１、３３、３５から、車輪回転数、ヨー角、及び屈曲角などのパラメータを受信する。これらのパラメータ及び設定進路に応じて、進路制御ユニット２７は、制御信号を設定ステアリング角の形式で自動車１のステアリング装置２９に出力し、かつ、設定走行速度の形式でエンジン制御システム３３及び／又はブレーキ装置３１に出力する。
【００３０】
図４に明示したように、自動車１の出発位置Ｓは、グローバル座標系ＫＳの原点に位置する。このグローバル座標系ＫＳで、走行操作は、計画され、実行される。グローバル座標系内でのモバイル端末３の位置決定は、モバイル端末５のセンサを介して行われる。グローバル座標系ＫＳにおける自動車１５の位置決定は、自動車センサを介して行われる。
【００３１】
図４に、トレーラ４３を有する、駐車場を目指して移動されることとなる自動車１を示してあり、目標位置Ｅ、すなわち駐車場は、自動車固有のセンサによって検知することができない。したがって、自動車１は、トレーラ４３の目標位置Ｅを決定する状況にない。モバイル端末５、例えば、スマートフォンを使用すると、トレーラ４３を所望の目標位置Ｅに移送することは容易である。初めに、運転者は、自動車１内で運転席に座り、モバイル端末５の実際の位置を走行操作に対する出発位置Ｓとして指定する。別法として、出発位置はまた、自動車１の制御装置３によっても検知することができる。
【００３２】
運転者が走行操作の出発位置を自動車１内の運転席で検知する場合、以下のセンサデータが検知される必要がある。
−地磁気における自動車１の向き、
−地磁気におけるモバイル端末５の向き、
−ＧＰＳ又は他の追尾サービス１１の位置データをまた利用することができる。
【００３３】
それに続いて、運転者は、降車し、トレーラ４３の所望の目標位置Ｅに移動する。
この地点でもまた、運転者は、駐車場を走行操作に対する目標位置Ｅとしてモバイル端末５上で指定する。更に、目標位置Ｅにおけるモバイル端末１の向きによって、目標位置Ｅにおけるトレーラ４３の向きが決定される。
【００３４】
モバイル端末５の位置決定ユニット２１が出発位置Ｓから目標位置Ｅまで記録する経路から、モバイル端末５の操作計画ユニット２３において、トレーラ４３を適切に移動させるための自動車１の走行操作が計画され、この走行操作は、制御装置３に送信される。制御装置３では、自動車１の設定進路が進路計画ユニット２５で決定され、この設定進路を用いて、トレーラ４３は、出発位置Ｓから目標位置Ｅに移動されることとなる。設定進路の決定後、運転者は、走行操作をモバイル端末５を介して開始し、進路制御ユニット２７は、自動車１の自動走行を制御し、設定進路を前述の自動車固有のセンサ３５、３７、３９、４１のパラメータに基づいて補正し、制御命令をステアリング装置２９又はエンジン制御システム３３又はブレーキ装置３１に出力する。自動車１に対するトレーラ４３の動きは、屈曲角センサ（別に図示せず）を用いて検知され、この屈曲角センサは、好適には牽引棒の球状ヘッド内に一体化され、信号を制御装置３に送信する。その際、運転者は、自動車１を出発位置Ｓから目標位置Ｅまで動かすために、モバイル端末５のタッチスクリーン上で円を描く動きを連続して実行する。トレーラ４３がその目標位置Ｅに到達した場合、到達したことが運転者に対してモバイル端末５上に表示される。
【００３５】
モバイル端末５によって設定されるが、制御装置３によって補正された様々な走行進路は、モバイル端末３上だけではなく自動車１内のディスプレイ上にも表示される。その際、運転者は、自身が好む走行操作進路を選択できる。
【００３６】
モバイル端末５を使用するこの走行操作計画は、自動車５及びトレーラ４３からなるタンデムの制御に制限されず、トレーラがない自動駐車機能に対する拡張としても使用することができる。図５は、トレーラがない自動車１を伴う、記述された走行操作を示す。このとき、この場合もまた、走行操作に対する出発位置Ｓは、自動車１に位置しており、出発位置は、同様にグローバル座標系ＫＳの原点である。運転者が自動車１における出発位置を検知した後で、運転者は、モバイル端末５を伴って運転操作の目標位置Ｅに移動し、これをその場で検知する。その際、以下の信号がモバイル端末５において出発位置から目標位置Ｅまで算出される。
【００３７】
モバイル端末５のジャイロスコープ１７に基づく３つのヨー速度の積分によって、グローバル座標系ＫＳにおける３つのヨー角は、生成される。このヨー角は、グローバル座標系ＫＳにおけるモバイル端末５の方向転換を記述する。それに加えて、ヨー角算出を支援するために、磁気センサ１９を使用することができる。ヨー角は、加速度センサの３成分をグローバル座標系ＫＳに変換するために使用される。グローバル座標系ＫＳにおける３つの加速度成分の２回積分によって、運転者が移動した経路を記録することができる。更に、位置決定ユニット２１での経路算出を支援するために、ＧＰＳ位置データ又は他の追尾サービス１１の位置データが使用される。
【００３８】
運転者が所望の目標位置Ｅに到達した場合、運転者は、到達したことを示すモバイル端末５上でこれを確認する。そして、運転者は、図示された自動車１の方向転換によって、目標位置Ｅにおける自動車２の向きを設定する選択肢を、モバイル端末５上に有する。運転者がその選択肢を承諾すると、モバイル端末５の操作によって、走行操作を開始できる。走行操作中に、運転者は、自動車１による計画された走行操作の発進時に、モバイル端末１を介してわずかな経路補正を行うことができる、すなわち、運転者は、自動車１を計画された進路についてわずかな補正値の分だけ移動させることができる。
【００３９】
記載したようにモバイル端末５を用いて、様々な走行操作を計画すること、及び、例えば、通常の自動車の駐車場所への出入り又はトレーラ付きでの駐車場所への出入りを、ユーザが選択するために表示することができる。
【００４０】
本発明は、好ましい実施例によって詳細に例示され、かつ説明されたにもかかわらず、本発明は、開示された例によって制限されず、他の変形形態は、本発明の保護範囲から逸脱することなく当業者によって導出可能である。したがって、多数の変形形態の可能性が存在することが明らかである。例示的に言及された実施形態は、ただ単に例を示しており、この例は、いかなる場合も、例えば、本発明の保護範囲、利用可能性、又は構成を制限するものとして解釈すべきではないことも同時に明らかである。より正確に言えば、上記の説明及び図の説明は、例示的な実施形態を完全に変換する立場に当業者を置き、当業者は、開示された本発明の概念の知見において、多様な変更を、例えば、例示的な実施形態で言及された個々の要素の機能又は配置を考慮して、特許請求の範囲及び、例えば、明細書における更なる説明などの特許請求の範囲の適法な同等物によって定義される保護範囲を逸脱することなく行うことができる。
【図１】
0006452801.tif 000002
【図２】
0006452801.tif 000003
【図３】
0006452801.tif 000004
【図４】
0006452801.tif 000005
【図５】
0006452801.tif 000006